(57)【要約】【課題】  時間分解能が高く、挿入物の被検体内の位置の確認が容易であり、加えて、挿入物の進行状況、すなわち挿入状態を容易に確認することができる手術支援システムを提供すること。【解決手段】寝台の天板に搭載された被検体の断層像を取得し、前記被検体内に挿入される挿入物のナビゲーションを行うためのＸ線断層像撮影装置を有する手術支援システムにおいて、前記Ｘ線を曝射するＸ線管と前記被検体との間に設けられ、Ｘ線の照射野を設定する１対のコリメータ４３と、前記１対の一方のコリメータのみを移動させるためのスイッチ（２２の（ａ）及び（ｂ））とを備えた。【選択図】      図１
2005111288.tif 000002
【特許請求の範囲】
【請求項１】
寝台の天板に搭載された被検体の断層像を取得し、前記被検体内に挿入される挿入物のナビゲーションを行うためのＸ線断層像撮影装置を有する手術支援システムにおいて、
前記Ｘ線を曝射するＸ線管と前記被検体との間に設けられ、Ｘ線の照射野を設定する１対のコリメータと、
前記１対の一方のコリメータのみを移動させるためのスイッチとを具備することを特徴とする手術支援システム。
【請求項２】
寝台の天板に搭載された被検体の断層像を取得し、前記被検体内に挿入される挿入物のナビゲーションを行うためのＸ線断層像撮影装置を有する手術支援システムにおいて、
前記Ｘ線を曝射するＸ線管と前記被検体との間に設けられ、Ｘ線の照射野を設定する１対のコリメータと、
前記１対のコリメータの幅を一定にしたまま前記１対のコリメータを移動させるためのスイッチとを具備することを特徴とする手術支援システム。
【発明の詳細な説明】
【技術分野】
【０００１】
本発明は、Ｘ線断層像撮影装置によるリアルタイム再構成を利用した手術（バイオプシー、カテーテル挿入など）のナビゲーションを行うための手術支援システムに関する。
【背景技術】
【０００２】
被検体を固定し、その被検体内にカテーテル、穿刺針などの挿入物（以下、単に「挿入物」と称する）を挿入して、被検体内に存在する腫瘍等の異物に挿入物を到達させるために、その挿入物のガイドを行う手術支援システムがある。この手術支援システムとして、例えば、ＣＴ誘導定位脳手術用座標計算システムがあり、このＣＴ誘導定位脳手術用座標計算システムによれば、被検体の断層像撮影を行うことにより、被検体内の存在する異物の位置計測を行い、その異物の位置に向けて挿入物を挿入することができる。
【０００３】
また、上記のＣＴ誘導定位脳手術用座標計算システムでは、計測した異物の位置に到達した時点で被検体をスキャンして、挿入物が正しく挿入されたことが確認できる。更に、挿入物が異物に到達する前に被検体をスキャンして、挿入物と異物との位置関係などを確認することはできる。
【０００４】
しかし、従来のＣＴ誘導定位脳手術用座標計算システムは、時間分解能が低いという問題を有する。すなわち、従来のシステムは時間分解能が低いので、挿入物の操作中に挿入物が正しい位置に入っているかどうかをリアルタイムに観察することができない。更に、挿入物の現時点における挿入位置と断層像撮影装置による撮影画像との時間のずれがあるので、厳密には挿入物が正しい位置に挿入されているとは限らない。
【０００５】
加えて、従来のＣＴ誘導定位脳手術用座標計算システムは、被検体の断層像を得る場合のスライス位置及びスライス幅を外部から表示する投光器が固定されているので、スライス位置及びスライス幅は投光器によって外部から確認できるが、挿入物を挿入しながら断層像撮影装置で被検体を透視する場合には、挿入物の位置等は投光器によって外部から確認することができず、モニタ等の画面上でしか確認することができない。
【０００６】
また、挿入物の進行方向が断層像撮影装置のスライス面に垂直に近い場合には、異物の大きさが最も大きい断面に断層像を表示して、挿入物を挿入するようにしているので、挿入物の被検体内の進行する様子が観察できない。
【０００７】
上記は、ＣＴ誘導定位脳手術座標計算システムについて記載したが、被検体の断層像を撮影して、その断層像に従ってカテーテル等の挿入物を進行させるシステムにも同様の問題がある。
【発明の開示】
【発明が解決しようとする課題】
【０００８】
上記のように、従来の手術支援システムは、時間分解能が低く、挿入物が被検体内を進行する様子を観察できない等の問題がある。
【０００９】
本発明の目的は、時間分解能が高く、挿入物の進行状況、すなわち挿入状態を容易に確認することができる手術支援システムを提供することである。
【課題を解決するための手段】
【００１０】
本発明の局面に係る発明は、寝台の天板に搭載された被検体の断層像を取得し、前記被検体内に挿入される挿入物のナビゲーションを行うためのＸ線断層像撮影装置を有する手術支援システムであって、前記Ｘ線を曝射するＸ線管と前記被検体との間に設けられ、Ｘ線の照射野を設定する１対のコリメータと、前記１対の一方のコリメータのみを移動させるためのスイッチとを具備することを特徴とする。
【００１１】
本発明の他の局面に係る発明は、寝台の天板に搭載された被検体の断層像を取得し、前記被検体内に挿入される挿入物のナビゲーションを行うためのＸ線断層像撮影装置を有する手術支援システムであって、前記Ｘ線を曝射するＸ線管と前記被検体との間に設けられ、Ｘ線の照射野を設定する１対のコリメータと、前記１対のコリメータの幅を一定にしたまま前記１対のコリメータを移動させるためのスイッチとを具備することを特徴とする。
【００１２】
前記Ｘ線断層像撮影装置は、スライス幅及びスライス位置を変更しながら前記被検体をスキャンするようにしているので、挿入物の位置を画像上で容易に確認することができる。
【００１３】
上記より、本発明によれば、穿刺針等の挿入物の位置設定の精度を高めることができると共に、その進行状況がリアルタイムに観察されるので、容易にかつ安全に目的部位まで挿入物を進行させることができる。また、腫瘍部等の目的部位のＣＴ値を造影剤で高くできるような場合には、例えば、穿刺による腫瘍部の体積の変化をリアルタイムで確認できる。
【発明の効果】
【００１４】
本発明によれば、穿刺針等の挿入物の位置設定の精度を高めることができるので、容易にかつ安全に目的部位まで挿入物を進行させることができる。
【発明を実施するための最良の形態】
【００１５】
図面を参照して本発明の実施形態を説明する。図１は、本発明の一実施形態に係る手術支援システムの概略構成を示すブロック図である。以下の実施形態においては、定位脳手術支援システムについて説明する。
【００１６】
本発明の手術支援システムは、各部の全体の動作を制御する中央処理装置１０と、ユーザからの指示を入力する入力部２０と、被検体の断層像等を表示する表示部３０と、詳細は後述する架台４０と、被検体を固定する寝台５０と、からなる。寝台５０には、被検体の頭部を固定するための定位脳支援装置６０が設けられている。また、寝台５０の天板５１は、図中矢印Ａ方向に駆動可能であり、架台４０の開口部に挿入されて被検体の所望の断層像を得るようになっている。なお、中央処理装置１０は、図示しない画像再構成部、画像メモリ、及び、ハードディスク或いは光ディスク等の記憶装置を含んでいる。
【００１７】
図２は、架台４０の詳細を示す図である。図２において、（ａ）は正面図であり、（ｂ）は、（ａ）の２Ｂ−２Ｂ断面図である。図２において、架台４０は、Ｘ線を被検体に照射するＸ線管４１と、被検体を透過したＸ線を検出する検出器４２と、Ｘ線の照射野を設定するコリメータ４３と、被検体の挿入された挿入物の先端を外部から表示する投光器４４とを搭載している。なお、架台の中心には開口部４５があり、架台４０に搭載されたＸ線管４１等は被検体が挿入される開口部４５の中心点ａを中心に相対位置を保持しながら回転可能であり、このＸ線管４１等が回転することによって、被検体の断層像を得ることができようになっている。また、天板５１を移動させながら検出器等を回転させることにより、被検体をらせん状にスキャンすることができ（ヘリカルスキャン）、連続的に被検体の断層像を得ることができる。
【００１８】
上記のように構成された本発明の手術支援システムの動作を説明する。図示しない被検体は天板５１上に搭載されて定位脳支援装置６０に被検体の頭部が固定される。被検体が固定された天板は、図中矢印Ａ方向に駆動し、架台部４０に挿入されて、被検体にＸ線管４１からＸ線が照射される。Ｘ線管４１から照射されたＸ線はコリメータで照射野を設定し、被検体に照射される。被検体を透過したＸ線は、コリメータにより、散乱線を除去するためにコリメートされて、検出器４２に入力する。また、この時の、Ｘ線断層像撮影装置による被検体のスライス幅及びスライス位置は、天板５１の駆動方向と同じ方向に駆動可能な投光器４４により外部から確認できるようになっている。このようにして、得られた被検体の断層像は、表示部３０により表示される。
【００１９】
図３は、本発明の手術支援システムの第１実施形態を説明するための図である。図３は、天板５１を移動させて、挿入物７０の位置を追跡する場合を示す。図３において、（ａ）は、挿入物７０を被検体５２に挿入した時点を示し、（ｂ）は挿入物７０が異物５３に到達した時点を示す。
【００２０】
図３において、破線で挟まされた部分がスキャン幅であり、矢印はスキャン方向（又は体軸方向）を示す。図３の（ａ）から（ｂ）に至るまでの追跡を行っている最中に、本発明装置は以下のような動作を行う。
【００２１】
Ｘ線断層像撮影装置による現時点での被検体のスキャン位置及びスキャン幅を投光器４４で被検体の体表面に表示する。この場合において、面検出器を使用する場合には、天板５１を移動させて断層像の再構成位置を変化させて、必要に応じて投光器４４を被検体又はコリメータの移動方向に移動させてスライス位置を体表面に表示する。
【００２２】
そして、従来と同様に、スキャノ像、或いはＭＰＲ（Multiple-Planar Reconstruction）のサイド像、又はトップ像などの上へ現時点のスキャン位置及びスライス幅を表示部３０に表示する。更に、スキャンした画像を表示部３０に表示する。
【００２３】
上記に加え、本発明は挿入物７０の先端の座標を表示部３０に表示すると共に、挿入物７０と異物５３との距離を、後述するように、表示部３０に表示する機能を有する。
【００２４】
更に、アラーム機能として、次の機能を有する。挿入物７０が正しく異物５３に向かっていない場合には、音声、画面のフラッシュなどの表示による警告を発してユーザにその旨を報知する。逆に、挿入物が異物５３に近づいた場合には、ユーザに音声等で挿入物７０と異物５３との距離を報知する。
【００２５】
図４は、ユーザへの報知（アラーム機能）を行うフローチャートである。予め被検体の走査を行い、所望の範囲のＣＴ画像を得る（ステップＡ１）。ユーザはＣＴ画像上でターゲット及び許容誤差Ｄｐを指定する（ステップＡ２）。
【００２６】
中央処理装置はステップＡ２で指定されたターゲット座標及び許容誤差を記憶する（ステップＡ３）。ＣＴ透視を開始すると（ステップＡ４）、走査を開始し、寝台位置、画像上の穿刺針等の位置から先端の３次元座標を得て、記憶する（ステップＡ５）。
【００２７】
過去の先端の軌跡の直線を最小自乗法などで求め、ターゲットと直線との距離及びターゲットと先端との距離Ｄを求める（ステップＡ６）。ターゲットと先端との距離Ｄを表示及び発声する（ステップＡ７）。
【００２８】
ターゲットと軌跡との距離Ｄが許容誤差範囲Ｄｐ内（すなわち、Ｄ＝＜Ｄｐ）かどうか判断する（ステップＡ８）。ステップＡ８において、ターゲットと先端との距離が許容誤差範囲内であれば、ステップＡ５に戻り、走査を継続し、そうでなければ、画面及び音声等により警告する（ステップＡ９）。その後、ステップＡ５からの動作を継続する。
【００２９】
上記のようにして、警告が発せられる。図５は、図３の変形例を示す図であり、図３と同じ部分には同じ符号を付し、詳細な説明は省略する。図５において、（ａ）は挿入物７０を被検体５２に挿入した時点を示し、（ｂ）は挿入物７０が異物５３に到達した時点を示す。
【００３０】
図３は、挿入物７０の先端を追跡するのに天板５１を移動させることによって、行ったが、図５の場合には、挿入物７０の先端を追跡するのにコリメータ４３を移動させて行っている。この場合には、コリメータ４３を挿入物７０の先端の移動に従って移動させているので、被検体５２が図３の場合と異なり移動しない。従って、本実施形態によれば、被検体５２が移動しないので、天板５１を移動させた場合よりも被検体５２に対する影響が少なくなると共に手術に対する影響も小さくなる。
【００３１】
上記のように第１実施形態では、リアルタイムに被検体の断層像が表示されるので、時間分解能が高く、スライス位置を変化させる場合に、投光器によってスライス位置を体表面に表示させるようにし、スライス幅も投光器によって把握できるようにしたので、外部からスライス位置及びスライス幅を容易に確認することができる。また、挿入物の先端の座標及び挿入物の先端と異物との距離を表示し、加えて、挿入物が異物に正しく進行しているかどうかの警告を発するようにしているので、挿入物の挿入状態及び被検体内の位置の確認を容易にし、挿入物を正しく挿入することができる。
【００３２】
図６は、本発明の手術支援システムの第２実施形態を説明するための図である。図６において、第５と同じ部分には同じ符号を付し、詳細な説明は省略する。なお、図６において、（ａ）は挿入物７０を被検体５２に挿入した場合を示す図、（ｂ）は（ａ）の状態でスライス幅を広げたばあいを示す図、（ｃ）は挿入物７０が異物５３に到達した様子を示す図、（ｄ）は挿入物７０が異物５３から突き抜けていないかどうか確認する場合を示す図である。
【００３３】
図６（ａ）は、図５（ａ）と同様であり、ここでは、コリメータ４３の移動或いは天板５１の移動により、挿入物７０の先端を捉える。予めマークされた異物５３との距離、方向を測定し、そのまま挿入物７０が進行した場合に正しい位置に到達するかどうかチェックする。チェックの結果、危険であれば、警告する。良ければ、そのまま挿入物７０を進行する。
【００３４】
次に、図６（ｂ）に示すように、適宜、スライス幅を広げて、挿入物７０がターゲットに近づいたことを知る。そして、図６（ａ）、図６（ｂ）に示すようなスライス幅の変更等を行いながら、図６（ｃ）に示すように、挿入物７０が異物５３に到達したら、スライス幅を狭くして、挿入物７０の先端が異物５３内の正しい位置に入っていることを確認する。
【００３５】
更に、必要に応じて、図６（ｄ）に示すように、スキャン位置を移動させたり、スライス幅を広げる等して、挿入物７０が異物５３を突き抜けていないことを確認する。この場合において、異物５３付近におけるスライス位置の移動は、寝台を動かさないように、なるべくコリメータ４３の移動のみで行うようにすることが望ましい。
【００３６】
上記のような追跡を行っている最中に、第１実施形態とほぼ同様であるが、以下のような動作を行う。Ｘ線断層像撮影装置による現時点での被検体のスキャン位置及びスキャン幅を投光器４４で被検体の体表面に表示する。すなわち、スキャン位置及びスキャン幅に応じて、例えば、図６（ｂ）の場合には投光器４４による表示幅を広くするように、投光器４４によってスキャン位置及びスキャン幅を表示する。この場合において、面検出器を使用する場合には、天板５１を移動させて断層像の再構成位置を変化させて、必要に応じて投光器４４を被検体又はコリメータの移動方向に移動させてスライス位置を体表面に表示する。
【００３７】
そして、従来と同様に、スキャノ像、或いはＭＰＲ（Multiple-Planar Reconstruction）のサイド像、又はトップ像などの上へ現時点のスキャン位置及びスライス幅を表示部３０に表示する。更に、スキャンした画像を表示部３０に表示する。
【００３８】
上記に加え、本発明は挿入物７０の先端の座標を表示部３０に表示すると共に、挿入物７０と異物５３との距離を表示部３０に表示する機能を有する。更に、アラーム機能として、次の機能を有する。
【００３９】
挿入物７０が正しく異物５３に向かっていない場合には、音声、画面のフラッシュなどの表示による警告を発してユーザにその旨を報知する。逆に、挿入物が異物５３に近づいた場合には、ユーザに音声等で挿入物７０と異物５３との距離を報知する。
【００４０】
上記のように、本発明の第２実施形態によれば、第１実施形態と同様の効果が得られる。加えて、第２実施形態では、スライス幅を可変としたので、任意のスライス幅に設定して挿入物７０の先端と異物５３との位置関係をより明確に把握することができる。また、スライス幅の変化も投光器の表示により被検体の外部に表示可能であるので、現在のスライス位置に加えてスライス幅も容易に確認できる。
【００４１】
図７は、第２実施形態において、コリメータを移動制御する制御パネルの一例を示す図である。図７において、制御パネル２２には、４種類のスイッチが設けられていて、（ａ）及び（ｂ）は左右のコリメータ４３をそれぞれ独立して移動させるスイッチであり、（ａ）は左側のコリメータ４３を移動し、（ｂ）は右側のコリメータ４３を移動するためのスイッチである。なお、（ｃ）はコリメータ４３の幅は変えずに（すなわちスライス幅を一定にして）、スライス位置を変更するスイッチである。（ｄ）はスライス位置を変更せずに、スライス幅を変更するスイッチである。
【００４２】
上記の構成において、挿入物の追跡を行う手順を図８〜図９（ｄ）を参照して説明する。図８は、挿入物の追跡を行う場合の手順を示すフローチャートである。図９は、実際の挿入物の追跡を行う様子を示す図である。
【００４３】
図９（ａ）に示すように、異物の位置及び挿入物の初期移動方向を指定する（ステップＢ１）。この場合において、再構成画像上で、異物の位置及び挿入物をマークすると、ＣＰＵが、異物の位置と現在の挿入物の位置とＣＴ値を記憶する。挿入物の初期移動の方向は、挿入物が被検体の内部に向かって進行する方向を初期方向としても良い。
【００４４】
ステップＢ１で指定された挿入物の移動方向にスライス位置を移動させる（ステップＢ２、図９（ｂ））。この場合、スライス方向の移動は寝台又はコリメータのいずれかを移動させることにより行う。
【００４５】
再構成画像中に挿入物があれば（ステップＢ３）、図９（ｃ）に示すように、更に、同じ方向にスライス位置を移動させる（ステップＢ２）。ステップＢ３において、再構成画像中に挿入物がない場合には、図９（ｄ）に示すように、スライス位置が移動しすぎたと判断して、挿入物が見つかるまで逆方向に移動する（ステップＢ４）。
【００４６】
その後、挿入物が進行方向に進行すれば、初期移動方向にスライス位置を移動させ、挿入物が進行方向と逆方向に進行すれば、初期移動方向と逆方向にスライス位置を移動させる。
【００４７】
図１０は、本発明によって挿入物７０を実際に追跡する場合の表示部３０に表示される画像例を示す。図１０において、（ａ）は操作の計画画面であり、（ｂ）〜（ｃ）は操作中の画面を示す。
【００４８】
まず、例えば、ヘリカルスキャンにより、被検体の断層像が得られ、その断層像から異物５３を特定し、特定された異物５３の位置を図１０（ａ）に示すように被検体５２の断層像中に表示（マーク）する。表示と同時に異物５３の中心位置の座標も併せて表示する。なお、図１０（ａ）中の被検体の両側には定位脳支援装置６０が表示されている。
【００４９】
図１０（ｂ）では、操作中のＸ線断層像撮影装置によるスライス幅及びスライス位置が適宜表示される。挿入物７０が挿入されると、図１０（ｃ）に示すように、異物５３と挿入物７０の先端との距離及び挿入物７０の先端の座標が表示され、図１０（ｄ）に示すように断面図には挿入物７０の先端の位置が表示される。この場合において、図１０（ｃ）における挿入物７０の表示は、スキャンした画像から構成するか、又は、挿入物７０の先端の座標から計算して、線分を合成表示することによって行われる。
【００５０】
上記の表示において、針が危険な方向、位置へ向かう場合は、先の実施形態と同様に音声、警告メッセージ、画面フラッシュ等で操作者に報知する。正常時は、画面のバックを青、異常時は赤（点滅するとより効果的）等とすることもでき、その場合には、操作者が画面を注視する必要がなく、画面が操作者の視野に入っていれば画面の状態を知らせることができる。
【００５１】
図１１は、挿入物７０の先端の座標を取得する方法を説明する図である。図１１において、（ａ）は被検体５２内の異物５３に対して、挿入物７０を進める場合の模式図を示し、（ｂ）は挿入物７０のトレース画面の一例を示す図であり、（ｃ）は挿入物７０のマーク位置から異物５３に達するまでの挿入物７０の移動について模式的に示した図である。
【００５２】
まず、図１１（ａ）に示すように、腫瘍などの異物５３に対して予め方向を指定した挿入物７０を被検体に挿入する。そして、挿入物７０の所定位置を０とし、異物５３位置を４０とする。
【００５３】
そして、図１１（ｂ−１）及び図１１（ｃ−１）に示すように、所定位置にある挿入物７０をマークする。スキャンを開始すると、図１１（ｃ−２）に示すように、マークされた物体（この場合は挿入物７０）を指定方向に対してサーチする。挿入物７０が見つからなかった場合には、指定方向と反対側にスキャンする部分を移動する。挿入物７０が見つかったら、挿入物７０のトレースを開始する。
【００５４】
図１１（ｂ−２）に示すように、トレースをリアルタイムに行い、最終的に、図１１（ｂ−３）及び図１１（ｃ−３）に示すように、異物５３に挿入物７０が到達した時点で、トレースを終了する。
【００５５】
上記のように、本実施形態によれば挿入物の先端の座標が正確に得られるので、挿入物の進行の監視を容易に行うことができる。図１２は、挿入物７０の先端の座標を取得する他の方法を示す図である。
【００５６】
図１２によれば、定位脳支援装置６０に図示しない位置検出装置をつけて、挿入物７０の一部を挿入物の進行方向に可動になるように固定具６２で固定し、既知の長さの挿入物７０を使用して挿入物７０の先端の座標を得るようにしている。本実施形態によっても先の実施形態と同様に正確な挿入物７０の先端の位置座標を得ることができる。
【００５７】
上記の実施形態では、被検体の断層像の表示が断面になっているので、被検体に挿入された挿入物は点でしか確認することができない。図１３は、ＭＰＲ像によって挿入物の移動する様子を表示する例を示す図である。
【００５８】
図１３に示すように、本実施形態においては、被検体を横切って挿入された挿入物の移動の履歴をＭＰＲ像で表示することにより、目視することができる。この場合において、ＭＰＲ像は最新のスキャンで得られたデータに基づいて、その部分の画像が置き換えられる。これにより、常に最新の画像情報が表示される。
【００５９】
また、このＭＰＲ像は３次元画像であっても良い。更に、図１４に示すように、所望の断層像をメイン表示して、ＭＰＲ像又は３次元画像を、例えば右下に表示させて挿入物の挿入の様子を表示するようにしても構わない。
【００６０】
本発明は、上記実施形態に限定されない。例えば、Ｘ線断層像撮影装置による被検体のスキャンを面検出器を用いて、１度に多くの断層像を得る（ボリューム・スキャン）ようにしても良い。
【００６１】
図１３及び図１４において、表示例をＭＰＲ像としたが、３次元立体画像表示としても良い。上記の実施形態において、被検体に挿入する挿入物を穿刺針、或いはカテーテル等として説明したが、本発明は、例えば、被検体に造影剤を注入した際の造影剤の進行状況を監視するのにも適用可能である。
【００６２】
上記の実施形態において、断層像撮影装置をＸ線断層像撮影装置として説明したがこれに限らず断層像を得られるような構成であれば良い。更に、上記実施形態において、例えば、異物を造影剤などでＣＴ値を高く表示できる場合には、例えば、穿刺による腫瘍部の体積の変化をリアルタイムに確認できるようになり、操作性が更に増す。その他、本発明の要旨を変更しない範囲で種々変形して実施できるのは勿論である。
【００６３】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００６４】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６５】
【図１】本発明の一実施形態に係る手術支援システムの概略構成を示すブロック図。
【図２】架台の詳細を示す図。
【図３】本発明の手術支援システムの第１実施形態を説明するための図。
【図４】ユーザへの報知を行うフローチャート。
【図５】図３の変形例を示す図。
【図６】本発明の手術支援システムの第２実施形態を説明するための図。
【図７】第２実施形態において、コリメータを移動制御する制御パネルの一例を示す図。
【図８】挿入物の追跡を行う場合の手順を示すフローチャート。
【図９】実際の挿入物の追跡を行う様子を示す図。
【図１０】本発明によって挿入物を実際に追跡する場合の表示部に表示される画像例。
【図１１】挿入物の先端の座標を取得する方法を説明する図。
【図１２】挿入物の先端の座標を取得する他の方法を示す図。
【図１３】ＭＰＲ像によって挿入物の移動する様子を表示する例を示す図。
【図１４】断層像の表示の一部にＭＰＲ像を表示させた例を示す図。
【符号の説明】
【００６６】
１０…中央処理装置、２０…入力部、２２…制御パネル、３０…表示部、４０…架台、４１…Ｘ線管、４２…検出器、４３…コリメータ、４４…投光器、４５…開口部、５０…寝台、５１…天板、５２…被検体、５３…異物、６０…定位脳支援装置、６２…固定具、７０…挿入物。
【図１】
2005111288.tif 000003
【図２】
2005111288.tif 000004
【図３】
2005111288.tif 000005
【図４】
2005111288.tif 000006
【図５】
2005111288.tif 000007
【図６】
2005111288.tif 000008
【図７】
2005111288.tif 000009
【図８】
2005111288.tif 000010
【図９】
2005111288.tif 000011
【図１０】
2005111288.tif 000012
【図１１】
2005111288.tif 000013
【図１２】
2005111288.tif 000014
【図１３】
2005111288.tif 000015
【図１４】
2005111288.tif 000016